(57)【要約】【課題】監視対象の復旧忘れを防止すること。【解決手段】エスカレータの複数の監視対象を監視して異常が検知されたときに通報する監視モードと監視対象の監視を停止する保守モードとを切り替える切替手段と、保守モードに切り替えられた後に監視対象のうちのいずれかの監視対象を無効にする又はその無効を復旧する指令が入力されたとき、その旨を記憶する記憶手段と、保守モードから監視モードに切り替えられた後に記憶手段に記憶された監視対象が無効のままで復旧されていないときに信号を出力する制御手段２１と、制御手段の出力により動作する報知手段３５とを備えること。【選択図】    図１
2010024040.tif 000002
【特許請求の範囲】
【請求項１】
エスカレータの複数の監視対象を監視して異常が検知されたときに通報する監視モードと前記監視対象の監視を停止する保守モードとを切り替える切替手段と、前記保守モードに切り替えられた後に前記監視対象のうちのいずれかの監視対象を無効にする又はその無効を復旧する指令が入力されたとき、その旨を記憶する記憶手段と、前記保守モードから前記監視モードに切り替えられた後に、前記記憶手段に記憶された前記監視対象が無効のままで復旧されていないときに信号を出力する制御手段と、該制御手段の出力により動作する報知手段とを備えてなるエスカレータの監視装置。
【請求項２】
前記報知手段は、前記エスカレータの欄干に取り付けられた複数の照明灯により構成され、前記制御手段は、前記照明灯を点滅させる信号を出力するものであることを特徴とする請求項１に記載のエスカレータの監視装置。
【発明の詳細な説明】
【技術分野】
【０００１】
本発明は、エスカレータの監視装置に関する。
【背景技術】
【０００２】
エスカレータの異常を検出する監視装置は、例えば、エスカレータの上下の乗降口の床面下に設けられた機械室内に収納されている。この機械室への入口となる床面には、開閉可能な蓋が設けられている。監視装置には、エスカレータの異常を検出する複数の監視対象の状態信号等が入力され、エスカレータの状態を監視するようになっている。
【０００３】
監視装置には、通常、手動の切替スイッチが設けられており、この切替スイッチにより、監視装置の監視モードと保守モードを切り替えるようになっている。監視モードとは、エスカレータの状態を監視し、異常を検知すると外部に通報するモードであり、保守モードは、エスカレータの監視を停止するモードである。
【０００４】
このような監視装置において、エスカレータの保守点検を行う場合、まず、切替スイッチにより監視モードから保守モードに切り替え、保守点検中の外部への不要な通知を防止する。そして、点検後は、切替スイッチにより再び監視モードに戻される。
【０００５】
ところで、従来の監視装置においては、点検員が切替スイッチにより手動でモードの切替操作を行うため、例えば、点検後の監視モードへの切り替えを忘れ、エスカレータが無監視状態となるおそれがある。
【０００６】
そこで、機械室の照度の変化を検出する光センサを機械室内に設け、保守員が入口の蓋を開けると、光センサが機械室の照度変化を検出して、ＯＮ信号を監視装置に出力し、これを受けた監視装置は、監視モードを自動的に保守モードに切り替え、反対に、保守員が蓋を閉めると、ＯＦＦ信号を監視装置に出力し、これを受けた監視装置は、保守モードから自動的に監視モードに切り替えるようにしたエスカレータの監視装置が開示されている（特許文献１参照。）。
【０００７】
【特許文献１】特開２００４−４３０７５号公報
【発明の開示】
【発明が解決しようとする課題】
【０００８】
特許文献１の技術によれば、切替スイッチによる監視モードと保守モードの人為的な切り替え忘れを防止することが可能となる。しかしながら、保守点検時には、エスカレータの監視対象となる複数の構成機器をそれぞれ無効にし、順次動作確認をすることがある。ここで、点検後にいずれかの構成機器の復旧忘れが生じた場合、これを点検員に知らせることができないため、監視対象が無効の状態であることに気が付かず、エスカレータの運転が開始されるおそれがある。
【０００９】
本発明は、監視対象の復旧忘れを防止することを課題とする。
【課題を解決するための手段】
【００１０】
上記課題を解決するため、本発明は、エスカレータの複数の監視対象を監視して異常が検知されたときに通報する監視モードと監視対象の監視を停止する保守モードとを切り替える切替手段と、保守モードに切り替えられた後に監視対象のうちのいずれかの監視対象を無効にする又はその無効を復旧する指令が入力されたとき、その旨を記憶する記憶手段と、保守モードから監視モードに切り替えられた後に、記憶手段に記憶された監視対象が無効のままで復旧されていないときに信号を出力する制御手段と、この制御手段の出力により動作する報知手段とを備えることを特徴としている。
【００１１】
まず、保守点検時に所定の監視対象を点検する際には、監視モードから保守モードに切り替えて、その監視対象からの信号を一時的に無効とし、点検が終了した後は、監視対象からの信号の無効状態を解除して復旧させる必要がある。ここで、本発明によれば、復旧操作が行われないまま監視モードに切り替えられたとしても、変更前の監視対象の接続状態の情報が記憶されているため、その記憶された内容と変更後の内容を比較することにより、監視対象の無効が復旧されたか否かを判断することができる。そして、無効状態が復旧されていないときには、報知手段で報知することができるため、監視対象の復旧忘れを防ぐことができる。
【００１２】
この場合において、報知手段は、例えば、エスカレータの欄干に取り付けられた複数の照明灯により構成され、制御手段は、照明灯を点滅させる信号を出力するものとする。これによれば、監視対象の復旧忘れが生じた場合、照明灯を点滅させて目立つように報知することができるため、監視対象が復旧されていないことを保守員に容易に知らしめることができる。
【発明の効果】
【００１３】
本発明によれば、監視対象の復旧忘れを防止することができる。
【発明を実施するための最良の形態】
【００１４】
以下、本発明の一実施形態について図面を参照して説明する。
【００１５】
図１は、本発明を適用してなるエスカレータの監視装置となる制御装置の回路図、図２は、本発明を適用してなるエスカレータの監視装置の動作を説明するフローチャート、図３は、本発明が適用されるエスカレータの全体構成を示す断面図である。
【００１６】
図３に示すように、エスカレータは、無端状に連結して回動し、二つの乗降口１，３間を循環走行する踏段５と、この踏段５の両端に直立する欄干７と、踏段と同期して回動するハンドレール９を備えている。欄干７の外側の側面には、複数の照明灯（ランタン）１１が取り付けられている。
【００１７】
エスカレータの乗降口の床面下には、機械室（図示せず）が設けられており、この機械室内には、エスカレータの異常を検出するとともに、エスカレータの動作を制御する制御装置が収納されている。機械室内への入口となる床面には、開閉可能な蓋（図示せず）が設けられている。制御装置には、例えば、エスカレータの異常を検出する複数の監視対象の状態信号等が入力され、エスカレータの状態を監視するようになっている。なお、本実施形態では、上下階の乗降口に機械室が設けられる例を示すが、機械室は一方の階にだけ設けられていてもよいし、乗降口から離れた位置に設けられていてもよい。
【００１８】
次に、エスカレータの監視装置の回路構成について説明する。図１に示すように、制御装置２１には、エスカレータの監視対象となる各構成機器２３Ａ〜２３Ｄが電気的に接続されるとともに、これらの構成機器２３Ａ〜２３Ｄの接続状態が無効であるか等を検知する検出装置２５が設けられている。また、制御装置２１には、所定の情報を記憶するメモリ（ＲＡＭ等）が設けられている。
【００１９】
本実施形態の構成機器２３としては、例えば、踏段５の側面と隙間を保って対向するスカードガードに押し付け力が作用したとき、エスカレータを停止させるスカートガード安全スイッチ、ハンドレール９の入り込み口に手等が引き込まれたとき、エスカレータを停止させるインレットスイッチ等があるが、これらに限定されるものではない。
【００２０】
制御装置２１には、接点切替装置２７を介して報知手段３５が電気的に接続されている。この報知手段３５は、照明灯１１Ａ〜１１Ｄに組み込まれるランプ２９Ａ〜２９Ｄと、このランプ２９Ａ〜２９Ｄにそれぞれ対応して設けられる接点３１Ａ〜３１Ｄと、電源３３を備えて構成される。接点切替装置２７には、接点３１Ａ〜３１Ｄがそれぞれ電気的に接続されており、接点３１Ａ〜３１Ｄを介して、ランプ２９Ａ〜２９Ｄが電源３３とそれぞれ並列に接続されている。
【００２１】
次に、エスカレータの構成機器２３を点検する際の監視装置の処理手順について、図２を用いて説明する。
【００２２】
まず、エスカレータの通常運行時において、監視装置は監視モードに設定されている（Ｓ０１）。
【００２３】
次に、保守員が点検作業を行うため、機械室の入口の蓋を開けると、監視モードから保守モードに切り替えられる（Ｓ０２）。このように、本実施形態では、監視モードと保守モードの切り替えを蓋の開閉で認識するようにしている。すなわち、扉が閉じた状態のときは、監視モードとなり、扉が開いた状態のときは、保守モードとなる。これらのモードの認識は、例えば、検出装置２５により行う。
【００２４】
次に、監視対象の保守点検時において、例えば、構成機器２３Ａを一時無効にする場合、保守員は外部スイッチを切り替えることにより、構成機器２３Ａを無効化する。ただし、この無効化の操作は、保守モードであることが認識されている場合にのみ可能となる。また、外部スイッチにより構成機器２３Ａを無効化できない場合、保守員は、例えば、所定の保守ツールを制御装置２１又は構成機器２３Ａに接続し、無効化する旨の信号を制御装置２１に流す。この信号は、検出装置２５に入力される（Ｓ０３）。
【００２５】
検出装置２５が無効化の信号を読み取ることにより、構成機器２３Ａが無効化されたことを認識すると、その旨が制御装置２１のメモリに書き込まれる（Ｓ０４）。より具体的には、構成機器２３Ａが無効化される前の状態は、予めメモリに書き込まれており、この記憶された情報は、監視モードから保守モードに切り替えられることにより、別のメモリに退避される。そして、保守モードにおいて構成機器２３Ａが無効化される旨の情報は、元のメモリに書き込まれる。
【００２６】
このようにして、構成機器２３Ａは、無効化された状態で、周知の方法により保守点検作業が行われる（Ｓ０５）。
【００２７】
次に、保守点検作業が終了すると、保守員は、外部スイッチ又は保守ツールにより、構成機器２３Ａを無効状態から復旧させるための指令を検出装置２５に入力する（Ｓ０６）。
【００２８】
そして、復旧させるための指令が検出装置２５に入力されると、検出装置２５は、メモリに書き込まれた構成機器２３Ａを無効化する旨の情報、つまり別のメモリに退避させた情報を、元のメモリに戻して変更前の情報に戻すように指令を出す（Ｓ０７）。
【００２９】
次に、保守員は、機械室から出る際、開いた状態の機械室の蓋を閉めることにより、検出装置２５は、保守モードが終了したことを認識する（Ｓ０８）。
【００３０】
続いて、監視装置２５は、メモリに書き込まれた情報に基づいて、構成機器２３Ａが無効状態から復旧されたか否かを判断し（Ｓ０９）、復旧されたと判断された場合は、監視モードに戻す（Ｓ１０）。
【００３１】
一方、Ｓ０６において、保守員が、構成機器２３Ａを無効状態から復旧させる操作をし忘れた状態で蓋を閉めた場合（Ｓ０８）、監視装置２５は、構成機器２３Ａが無効化される前後のメモリに書き込まれた情報を比較することにより、構成機器２３Ａが無効状態から復旧されていないことを判断する（Ｓ０９）。これにより、制御装置２１は、接点切替装置２７に報知信号を出力する。
【００３２】
その結果、接点切替装置２７は、接点３１Ａ〜３１Ｂに動作信号を順次出力し、照明灯１１Ａ〜１１Ｄを所定のタイミングで点滅させることにより、保守員に構成機器２３Ａの復旧操作をし忘れたことを警告することができる（Ｓ１１）。
【００３３】
以上述べたように、本実施形態によれば、監視対象が無効化された状態で点検を終了し、その後、復旧操作が行われないまま監視モードに切り替えられたとしても、監視対象が無効状態から復旧されたか否かを判断し、復旧されていないときには、報知手段で報知するようにしているため、監視対象の復旧忘れを防止することができる。また、これにより、監視対象が無効の状態でエスカレータが復旧されることを防ぐことができる。
【００３４】
本実施形態では、報知手段として、複数の照明灯１１を点滅させて警告する例を説明したが、保守員に復旧忘れを報知する機能を備えるものであれば、この例に限定されるものではなく、例えば、単一の照明灯１１を用いて点滅態様に特徴を持たせたり、或いは、音声で警告するようにしてもよい。
【００３５】
また、本実施形態では、構成機器２３の点検を終了した保守員に対して、復旧をし忘れている旨を報知する例を説明したが、実際の点検作業では、複数の構成機器２３を無効化していることから、具体的に復旧をし忘れた構成機器２３の番号等を報知するようにしてもよい。
【００３６】
また、本発明は、エスカレータの監視装置について述べたが、これに限られず、同じ昇降機であるエレベータへの適用も可能である。
【図面の簡単な説明】
【００３７】
【図１】本発明を適用してなるエスカレータの監視装置となる制御装置の回路図である。
【図２】本発明を適用してなるエスカレータの監視装置の動作を説明するフローチャートである。
【図３】本発明が適用されるエスカレータの全体構成を示す断面図である。
【符号の説明】
【００３８】
７  欄干
１１Ａ〜１１Ｄ  照明灯
２１  制御装置
２３Ａ〜２３Ｄ  構成機器
２７  接点切替装置
２９Ａ〜２９Ｄ  ランプ
３３  電源
【図１】
2010024040.tif 000003
【図２】
2010024040.tif 000004
【図３】
2010024040.tif 000005